(57)【要約】      （修正有）【課題】造花や生花の花器を用いることなく、直接個体バランサーに多数本を挿し込み天井より懸吊したり、ルームエアコンなどの送風により風を当てて回転させる風力回転式の花器でなく、空中花自身が微風によりゆらぎ、回転し花モビールとしてのバランス観賞を可能とする。【解決手段】多孔性脂樹の個体バランサー１ｂに懸吊フックを有するボールチェーンなどを懸吊紐として中心部に貫通させて造花又は生花の花茎７ａ、７ｂを多数本挿し込み基本ユニットとした花の空間装飾具とする。【選択図】図２
2016043104.tif 000002
【特許請求の範囲】
【請求項１】
多孔性樹脂で３〜１５ｃｍの厚みを有する円盤又は直径が５〜１００ｃｍの球体からなる個体バランサーからなり、個体バランサーは上部と下部の両方に係止リングと椀型ワッシャーを備え、個体バランサーの内部を貫通する懸吊紐６で結合させ、造花又は生花の花茎を多数本差し込んで空中花としたことを特徴とする花の空間装飾具。
【請求項２】
多数の個体バランサーが係止リングの間を懸吊フックで連結されていることを特徴とする請求項１記載の花の空間装飾具。
【請求項３】
懸吊紐がボールチェーン、釣り糸、化粧鎖、ワイヤー、木綿紐、リボンなどの線条体からなることを特徴とする請求項1又は２に記載の花の空間装飾具。
【請求項４】
個体バランサーが１０〜２０ｃｍの間隔で垂直連結されていることを特徴とする請求項１〜３のいずれか一項に記載の花の空間装飾具。
【発明の詳細な説明】
【技術分野】
【０００１】
本発明は室内空間や造形空間に懸吊させる花の空間装飾具に関するものである。  
【背景技術】
【０００２】
従来下記のような背景技術があった。
（１）  造花を浅底の容器全体に多数具備した穴に挿着し、容器に蓋を重置固着して天井に吊着する花の装飾品。
（２）  ルームエアコンなどの送風によって風を当てることにより、回転する風力回転式の天井に吊着する花器。
【先行技術文献】
【特許文献】
【０００３】
【特許文献１】特許公開２００１−１２１８９８
【特許文献２】登録実用新案 第３０９８９９３号
【発明の概要】
【発明が解決しようとする課題】
【０００４】
次のような課題を解決することを課題とする。
１．  造花や生花の花器を用いることなく、直接個体バランサー１に多数本を挿し込み天井より懸吊する。
２．  ルームエアコンなどの送風により風を当てて回転させる風力回転式の花器でなく、空中花９自身が微風によりゆらぎ、回転し花モビールとしてのバランス観賞を可能とする。
【課題を解決するための手段】
【０００５】
本発明は下記を解決する手段である。
（１）  柔らかい花茎が挿せるフェノール系樹脂や、硬い花茎が挿せるウレタン系樹脂からなる多孔性脂樹の個体バランサー１の中心部に懸吊紐６を貫通させて、立体的放射状に造花又は生花の花茎７を多数本挿し込んで基本ユニット８とする。
（２）  多孔性脂樹で厚い円盤又は球体からなる５〜２０ｃｍの個体の上部と下部に係止リング２と椀型ワッシャー３を挟み合わせて、先端に懸吊フック４を有し、捩れ防止の回動機能を有するボールチェーン５、釣り糸、化粧鎖、ワイヤー、木綿紐、リボン、化粧鎖、極細ワイヤーなどの線条体で懸吊する。
（３）  上記の基本ユニット８の多数個を１０〜２０ｃｍの間隔をおいて懸吊紐６で垂直に連結させた空中花９とする。    
（４）  バランサー１に差込む造花又は生花の花茎７の深浅の度合により、各空中花９の相互間の微妙な水平バランス調節や、組立作業が素早く容易とする。
（５）  立体的放射状に差し込まれた長い花茎の先端部が本装飾具の最大径とな他の短い花茎で長茎の間隔を補充して基本ユニット８全体がボリューム感のある空中花９を形成する。
（６）基本ユニット８を多段連結させて多数個にして空中花９とし吸盤で天井燈に吸着させたり、直接天井板にネジ等で懸吊させてもよい。    
【発明の効果】
【０００６】
以上のような特徴と構造であるから下記のような効果を生む。
（１）  室内空間やアトリウム空間を多様な空中花９で豪華に飾り、花や緑葉の美しい空間装飾の演出効果が発揮され、四季折々の多彩な季節感を、様々な仰角度で鑑賞満喫する事が出来る。
（２）  室内微風による空中化９の回転や花モビールの揺らぎによる、不均衡のバランスと面白さにより、花を愛でる楽しさと癒しを提供することができる。
【図面の簡単な説明】
【０００７】
【図１】多数本の花茎を挿し込む前の球体状の個体バランサー１の拡大構成図
【図２】厚い円盤状の個体バランサー１に多数本の花茎を挿し込んだ基本ユニット８の構成図
【図３】中心部に椀型ワッシャー３とボールチェーン５の先端に懸吊フック４を設けた個体バランサー１の上部拡大構成図
【図４】天井面１１の天井灯に懸吊フック４で懸吊された空中花９の基本ユニット８の構図
【図５】天井面１１に吸盤と懸吊フック４で垂直連結に懸吊された３段組の空中花９の構図
【図６】棒体又はパイプ体１０を水平に吊下げて多数の空中花９を懸吊させ相互の重量バランスを保持する花モビールの構図
【図７】格子状に組み合わせた棒体又はパイプ体１０を藤棚状に天井面１１に対して水平に吊下げ、その下に多数の空中花９を個々に懸吊させ相互の重量バランスを保持する花モビールの構図
【図８】立体的造形空間１２の随所に多数の空中花９を懸吊させた空間装飾の構図
【発明を実施するための形態】
【０００８】
以下、本発明の実施の形態について説明する。
（１）  多孔性樹脂からなる厚い円盤状又は球状の個体バランサー１の材質は、柔らかく保水力があり花茎が容易に挿せるフェノール系樹脂や、硬い花茎が挿せるウレタン系樹脂などは造花又は生花の花茎７の保水性や花茎に応じて選択する。
（２）  懸吊紐６には任意部位にて回転するボールチェーン５が最適であるが、大規模な空間装飾では捩れ防止の回動機構を有する丈夫な化粧鎖を採用することも可能である。
また、小規模なセットでは半透明の釣り糸を用いることにより懸吊紐６の浮遊的視覚効果が高まる。
【実施例】
【０００９】
実施例について図面を参照して説明する。
「図１」のごとく、多孔性樹脂からなる３〜１５ｃｍの厚みを有する円盤又は直径が５〜１００ｃｍの球体からなる個体バランサー１からなり、上部と下部の両方に係止リング２と椀型ワッシャー３とを備え、個体バランサー１の内部を貫通する懸吊紐６で結合する。
「図２」のごとく、立体的放射状に造花又は生花の花茎７を多数本挿し込む。
「図３」のごとく、個体バランサー１の上部には先端の懸吊フック４を有する椀型ワッシャー３と懸吊リング２を設けた懸吊紐６を装着する。なお、懸吊紐６はボールチェーン５や釣り糸又は捩れ防止の回動機構を有する化粧鎖又は極細ワイヤーでもよい。
「図４」のごとく、天井面１１の天井灯に吸盤と懸吊フック４で懸吊して基本ユニット８を花茎豊富な空中花９に大きく増花させる。
「図５」のごとく、円盤又は球体の個体バランサー１が１０〜２０ｃｍの間隔で直列に配置され、天井面１１の天井灯に吸盤と懸吊フック４で垂直連結に懸吊された３段組以上の空中花９とする。この様に基本ユニット８の様々なバリエーションは、室内用の１段組みからアトリウムなどの多段組みへ懸吊展開を可能とする。
「図６」のごとく、棒体又はパイプ体１０を水平に吊下げて多数の空中花９を懸吊させ相互の重量バランスを保持する花モビールとすることも可能である。
「図７」のごとく、棒体又はパイプ体１０を格子状に組み合わせて天井面１１に対して藤棚状に水平に吊下げて、多数の空中花９の相互に重量バランスを保つ花モビールの花棚を形成させる。
「図８」のごとく、の空中花９を卓上の空間域に多数個を懸吊したり、またダイナミックな立体空間造形物１２を建設して直径が１００ｃｍ程度の球体の個体バランサー１を多段連結した、多数個の空中花９を懸吊させる事も本構造で可能である。
【産業上の利用可能性】
【００１０】
従来、花器に差し入れテーブルに置いたり、壁面に壁掛けとしての装飾演出をしていた造花や生花の装飾市場を、室内天井部に懸吊する観賞習慣により新しい需要を拡大させる。
【符号の説明】
【００１１】
１  個体バランサー
２  係止リング
３  椀型ワッシャー
４  懸吊フック
５  ボールチェーン
６  懸吊紐
７  造花又は生花の花茎
８  基本ユニット
９  空中花
１０棒体又はパイプ体
１１天井面
１２立体的造形空間
【図１】
2016043104.tif 000003
【図２】
2016043104.tif 000004
【図３】
2016043104.tif 000005
【図４】
2016043104.tif 000006
【図５】
2016043104.tif 000007
【図６】
2016043104.tif 000008
【図７】
2016043104.tif 000009
【図８】
2016043104.tif 000010